(57)【要約】      （修正有）【課題】放射性セシウムに汚染された可燃物（落ち葉、草木、木皮など）を無害に焼却して、体積の減容をおこない、除染も行う。【解決手段】積層したダンボールをしゅう酸およびフェロシアン化鉄に浸して、ダンボールに吸収させて、ダンボールの隙間に放射性セシウムを含んだ焼却上の煙を通過させて、除染を行う。積層したダンボールが煙道のフィルターにとってかわるものである。また、グラスファイバーの繊維にも同じような加工を施して、除染フィルターとする。【選択図】図１
2013224868.tif 000002
【特許請求の範囲】
【請求項１】
積層構造のダンボールをフェロシアン化鉄の水溶液あるいはしゅう酸の水溶液に浸して、浸透させた上で乾燥し、ダンボールを重ねあわせてフィルターにして、ダンボールの隙間に煙を通すことを特徴とするフィルター。
【請求項２】
グラスファイバー繊維を蛇腹状にしてフェロシアン化鉄の水溶液あるいはしゅう酸の水溶液に浸して、浸透させた上で乾燥し、グラスファイバー繊維を間隔を空けて重ねあわせて、その隙間に煙を通すことを特徴とするフィルター。
【請求項３】
請求項１および２に付随して、逆気水分離器を沈めたフェロシアン化鉄およびしゅう酸の水溶液が入った浄化槽に煙灰を送風機で圧出させて逆気水分離器で泡状にさせて、水溶液に煙灰を触れさせて放射性セシウムを溶解させて、さらにフィルターを焼却システムの煙突に備え付けて放射性セシウムを含んだ煙灰を吸着させて、放射性物質の除染に使うことを特徴とする焼却システム。
【発明の詳細な説明】
【技術分野】
【０００１】
本発明は、放射性セシウムを含んだ可燃性のごみ焼却の除染に関する。
【発明の概要】
【発明が解決しようとする課題】
【０００２】
従来、放射性セシウムの付着した落ち葉や草木、木皮などの可燃物の除染にフェロシアン化鉄やしゅう酸の水溶液に投じて、放射性セシウムとを吸着させて、その水溶液で放射性セシウムの回収を行っている。落ち葉や草木、木皮などの可燃物の容量は大きく、水溶液の容器を使う頻度も多い問題がある。さらに、その焼却灰および煙灰には放射性セシウムを含み、煙突から排出される灰煙を煙突の周辺にばら撒く問題がある。
【発明の効果】
【０００３】
放射性セシウムが付着した落ち葉や草木、木皮などの可燃物を焼却させた上で減容させると同時に、放射性セシウムは焼却熱によって、昇華されるので、その放射性セシウムを含んだ煙を煙道のフィルターで除染してしまう。それと同時に逆気水分離器と送風機を使い、フェロシアン化鉄やしゅう酸の水溶液に煙灰を通過させて、放射性セシウムを水溶液に溶かしてしまうことで、除染が可能になる。
【図面の簡単な説明】
【０００４】
【図１】ダンボールを重ね合わせた断面図
【図２】焼却システムの概要図
【先行技術文献】
【特許文献】
【０００５】
特になし
【実施例】
【０００６】
放射性セシウムが付着した落ち葉や草木、木皮などの可燃物を焼却させた上で減容させると同時に、放射性セシウムは焼却熱によって、昇華されるので、その放射性セシウムを含んだ煙を煙道のフィルターで除染してしまう。それと同時に逆気水分離器と送風機を使い、フェロシアン化鉄やしゅう酸の水溶液に煙灰を通過させて、放射性セシウムを水溶液に溶かしてしまうことで、除染が可能になる。
【符号の説明】
【０００７】
１００  焼却炉
１０１  第１次浄化槽（フェロシアン化鉄の水溶液あるいはしゅう酸の水溶液の入った密閉槽）
１０２  第２次浄化槽（しゅう酸の水溶液あるいはフェロシアン化鉄の水溶液の入った密閉槽）
１０３  煙突の側面図
２００  送風機
３００  煙道
４００  逆気水分離器
５００  グラスファイバーのフィルター
５０１  ダンボールのフィルター
【図１】
2013224868.tif 000003
【図２】
2013224868.tif 000004
【手続補正書】
【提出日】平成24年7月16日(2012.7.16)
【手続補正１】
【補正対象書類名】明細書
【補正対象項目名】０００３
【補正方法】変更
【補正の内容】
【０００３】
放射性セシウムが付着した落ち葉や草木、木皮などの可燃物を焼却させた上で減容させると同時に、放射性セシウムは焼却熱によって、昇華されるので、その放射性セシウムを含んだ煙を煙道のフィルターで除染する。それと同時にエアレーションと送風機を使い、フェロシアン化鉄やしゅう酸の水溶液に煙灰を通過させて、放射性セシウムを水溶液に溶かしてしまうことで、煙灰が水溶液中で放射性セシウムの化合物がイオン化してフェロシアン化鉄あるいはしゅう酸と結合して、除染が可能になる。煙道のフィルターにはフェロシアン化鉄が濡れた状態で付着しているので、空気中の放射性セシウムの化合物がイオンを形成して、フィルターに付着することで、煙灰が除去されるので除染が可能となる。
【手続補正２】
【補正対象書類名】明細書
【補正対象項目名】０００６
【補正方法】変更
【補正の内容】
【０００６】
放射性セシウムが付着した落ち葉や草木、木皮などの可燃物を焼却させた上で減容させると同時に、放射性セシウムは焼却熱によって、昇華されるので、その放射性セシウムを含んだ煙を煙道のフィルターで除染する。それと同時にエアレーションと送風機を使い、フェロシアン化鉄やしゅう酸の水溶液に煙灰を通過させて、放射性セシウムを水溶液に溶かしてしまうことで、煙灰が水溶液中で放射性セシウムの化合物がイオン化してフェロシアン化鉄あるいはしゅう酸と結合して、除染が可能になる。煙道のフィルターにはフェロシアン化鉄が濡れた状態で付着しているので、空気中の放射性セシウムの化合物がイオンを形成して、フィルターに付着することで、煙灰が除去されるので除染が可能となる。
【手続補正３】
【補正対象書類名】明細書
【補正対象項目名】０００７
【補正方法】変更
【補正の内容】
【０００７】
１００  焼却炉
１０１  第１次浄化槽（フェロシアン化鉄の水溶液あるいはしゅう酸の水溶液の入った密閉槽）
１０２  第２次浄化槽（しゅう酸の水溶液あるいはフェロシアン化鉄の水溶液の入った密閉槽）
１０３  煙突の側面図
２００  送風機
３００  煙道
４００  エアレーション
５００  グラスファイバーのフィルター
５０１  ダンボールのフィルター
【手続補正４】
【補正対象書類名】特許請求の範囲
【補正対象項目名】全文
【補正方法】変更
【補正の内容】
【特許請求の範囲】
【請求項１】
積層構造のダンボールをフェロシアン化鉄の水溶液あるいはしゅう酸の水溶液に浸して、浸透させた上で湿潤し、ダンボールを重ねあわせてフィルターにして、ダンボールの隙間に煙灰を通すことを特徴とするフィルター。
【請求項２】
グラスファイバー繊維を蛇腹状にしてフェロシアン化鉄の水溶液あるいはしゅう酸の水溶液に浸して、浸透させた上で湿潤し、グラスファイバー繊維を間隔を空けて重ねあわせて、その隙間に煙灰を通すことを特徴とするフィルター。
【請求項３】
エアレーションを沈めたフェロシアン化鉄およびしゅう酸の水溶液が入った浄化槽に煙灰を送風機で圧送させてエアレーションで泡状にさせて、水溶液中に煙灰を触れさせて放射性セシウムを溶解させて、放射性セシウムを含む化合物をイオン化して、水溶液中に残留させながら、さらに請求項１および請求項２のフィルターを焼却システムの煙突に備え付けて放射性セシウムを含んだ煙灰をフィルター表面においてイオン化した後に吸着させて、放射性セシウムをフィルター表面に残留させて、放射性物質の除染に使うことを特徴とする焼却システム。
【手続補正書】
【提出日】平成24年8月4日(2012.8.4)
【手続補正１】
【補正対象書類名】特許請求の範囲
【補正対象項目名】全文
【補正方法】変更
【補正の内容】
【特許請求の範囲】
【請求項１】
積層構造のダンボールをフェロシアン化鉄の水溶液あるいはしゅう酸の水溶液に浸して、浸透させた上で湿潤し、ダンボールを重ねあわせてフィルターにして、ダンボールの隙間に煙灰を通すことを特徴とするフィルター。
【請求項２】
グラスファイバー繊維を蛇腹状にしてフェロシアン化鉄の水溶液あるいはしゅう酸の水溶液に浸して、浸透させた上で湿潤し、グラスファイバー繊維を間隔を空けて重ねあわせて、その隙間に煙灰を通すことを特徴とするフィルター。
【手続補正書】
【提出日】平成24年9月6日(2012.9.6)
【手続補正１】
【補正対象書類名】特許請求の範囲
【補正対象項目名】全文
【補正方法】変更
【補正の内容】
【特許請求の範囲】
【請求項１】
積層構造のダンボールをフェロシアン化鉄の水溶液に浸して、浸透させた上で乾燥し、ダンボールを重ねあわせてフィルターにして、ダンボールの隙間に煙灰を通すことを特徴とするフィルター。
【請求項２】
グラスファイバー繊維を蛇腹状にしてフェロシアン化鉄の水溶液に浸して、浸透させた上で乾燥し、グラスファイバー繊維を間隔を空けて重ねあわせて、その隙間に煙灰を通すことを特徴とするフィルター。